(57)【特許請求の範囲】
【請求項１】
空気をファンによって吸入し、吸入した空気を冷却コイルに接触させて水蒸気を液滴化して、床下空間の水蒸気を除去する床下空間除湿装置であって、
底板とカバーによりなり、カバーの相対する両側面に吸込口と排気口を有してなる筐体に、コンプレッサーと、ドレンタンク水を排出する立軸片吸込遠心タイプのポンプで、該コンプレッサーと同時に駆動されるポンプと、冷却コイルと、コンデンサと、モータを有するファンで、該コンプレッサー及び該ポンプと同時に駆動されるファンとを、上記吸込口と排気口間に水平方向に並設して、同一筐体内に内蔵してなることを特徴とする床下空間除湿装置。
【請求項２】
ポンプの吐水路に排水ホースと接続される排水口の方位を異にする複数の排水口と分岐管を介していずれかの排水口と接続できるようにした請求項１に記載の床下空間除湿装置。
【請求項３】
上記ポンプのドレンタンク水流入口より上流側に、異物の混入を防止する複数の突起を設けたことを特徴とする請求項１又は２に記載の床下空間除湿装置。
【請求項４】
上記床下空間除湿装置を所定時間運転するべく制御可能なタイマーを設けたことを特徴とする請求項１又は２又は３に記載の床下空間除湿装置。
【請求項５】
上記床下空間除湿装置を所定温度内で運転するべく制御可能な温度感知装置を設けたことを特徴とする請求項１又は２又は３又は４に記載の床下空間除湿装置。
【発明の詳細な説明】
【０００１】
【発明の属する技術分野】
本発明は、住宅・その他建造物の床下空間の湿度を低くし、住居の傷みを少なくし、耐久性のある良い環境にするための床下空間除湿装置及び室内の生活環境又は保管環境の湿度を低くして、快適な生活環境又は良好な物品保管状態とするための床下空間除湿装置であって、空気中から回収された水分（湿度）の処理技術に関するものである。
【０００２】
【従来の技術】
従来の床下空間除湿装置は、空調装置の一部として内蔵されていることが多い。その構造は空気をファンによって吸入し、吸入した空気を冷却コイルで冷却して水蒸気を露点以下にして液滴化して除去し、液化された水をドレンタンクに回収するものである。
従来の床下空間除湿装置では、回収された水はドレンタンクに貯えられ、外部へ水頭差でホースで排出するものである。そのため、床下空間除湿装置が排出地点（排出溝等）に比べて十分に高い位置にある場合には、水頭差も大きくドレンタンクの水は確実に排出できる。
【０００３】
【発明が解決しようとする課題】
しかし、床下空間除湿装置が、床下空間等の如く低い場所に配置されると、排出地点との水頭差が少なく（場合によっては水頭差がマイナス）、圧力差が低くなって、ドレンタンク内の水が確実に外部に排出できなくなる。そのため、ドレンタンクから水が溢れ出て、床下空間除湿装置周辺を汚し、又水蒸気となって空間に戻され除湿効果を阻害することが発生していた。
そこで、本発明は、床下空間除湿装置が床下空間等の低い場所に配置された場合でも、確実にドレンタンク内の水を建物外部に排出することが可能で、水がドレンタンクから溢れ出たり、床下空間除湿装置の空間を汚すことがなく、蒸発して除湿効果を阻害することがないとともに、床下空間除湿装置の設置位置の制約をなくした床下空間除湿装置を提供することにある。
【０００４】
【課題を解決するための手段】
本発明は上記問題点を解決するために創作されたものであって、第１には、空気をファンによって吸入し、吸入した空気を冷却コイルに接触させて水蒸気を液滴化して、床下空間の水蒸気を除去する床下空間除湿装置であって、底板とカバーによりなり、カバーの相対する両側面に吸込口と排気口を有してなる筐体に、コンプレッサーと、ドレンタンク水を排出する立軸片吸込遠心タイプのポンプで、該コンプレッサーと同時に駆動されるポンプと、冷却コイルと、コンデンサと、モータを有するファンで、該コンプレッサー及び該ポンプと同時に駆動されるファンとを、上記吸込口と排気口間に水平方向に並設して、同一筐体内に内蔵してなることを特徴とする。
この第１の構成の床下空間除湿装置においては、ファンによって吸入された空気は冷却コイルで冷却され、空気に含まれている水蒸気は露点に達して液滴化して下方に落下してドレンタンクで回収される。このドレンタンクの水はポンプで吸入されてホースで遠方へ送られ、所定の排水位置で排水される。このようにポンプでドレンタンク水は強制排出されるので床下空間除湿装置の周辺を汚すことがなく、又ドレンタンク水が水蒸気となって空間に戻されることがないように早期排出を可能にする。また、上記ポンプが立軸タイプであるため、幅方向に狭いスペースでも使用可能であるとともに、遠心タイプであるため容積タイプに比べて簡略な構造で小型化でき高さも低く抑えられるため、高さの限られた床下空間への対応が可能になる。また、精巧な形状のシリンダやプランジャ等が不要なため全体をプラスチック化することが可能で、床下空間除湿装置を軽量化することが可能になる。また、上記ポンプによってドレンタンク水が揚水されるため、このドレンタンク水の水面よりも排出する部分を高い位置とすることができ、上記床下空間除湿装置が床下などの低い位置に設けられた場合であっても、排出ホースによる排出経路をより高い場所に設けることが可能になる。従って、建物外の排水路の位置もより高い位置に設けることができ、既存の建造物の布基礎等を補工することなく、そのまま使用するように設定できる。また、除湿ユニットと排水ユニットとを一体化し、底板とカバーによりなり、カバーの両側面に吸込口と排気口を有してなる筐体に、コンプレッサーと、ドレンタンク水を排出する立軸片吸込遠心タイプのポンプと、冷却コイルと、コンデンサと、モータを有するファンとを、上記吸込口と排気口間に水平方向に並設して、同一筐体内に内蔵してなるため、筐体内空間が有効に利用できコンパクトになるとともに、運搬時や据付時の作業性も向上する。また、小動物の浸入や落下物等から構成品を防護する。更に、内蔵するドレンポンプやコンプレッサー等の騒音を遮断する効果も有する。
【０００５】
また、第２には、上記第１の構成において、ポンプの吐水路に排水ホースと接続される排水口の方位を異にする複数の排水口と分岐管を介していずれかの排水口と接続できるようにしたことを特徴とする。
この第２の構成の床下空間除湿装置においては、分岐管でポンプの吐水路を方位を異にする排水口のいずれかに選択的に切換えられる場合は、排水ホースを延ばす方位の排水ポートを選択できるので床下空間除湿装置の設置位置・方向を制約なくできる。
【０００７】
また、第３には、上記第１又は２の構成において、上記ポンプのドレンタンク水流入口より上流側に、異物の混入を防止する複数の突起を設けたことを特徴とする。よって、ポンプへの異物の混入を容易、確実に防止することができる。
【０００８】
また、第４には、上記第１又は２又は３の構成において、上記床下空間除湿装置を所定時間運転するべく制御可能なタイマーを設けたことを特徴とする。従って、湿度や温度に応じた運転時間を適宜選択して、自動的に床下空間除湿装置をＯＮ又はＯＦＦすることが可能になる。
【０００９】
また、第５には、上記第１又は２又は３又は４の構成において、上記床下空間除湿装置を所定温度内で運転するべく制御可能な温度感知装置を設けたことを特徴とする。よって、床下空間除湿装置の過熱や凍ったドレンタンク水の吸引を避けることができる。
【００１０】
【発明の実施の形態】
本発明のポンプはドレンタンクの水が所定水位以上となった時にこれを感知して作動させるようにすることが好ましい。
床下空間除湿装置の能力は、その設置する住宅構造物の除湿空間の大きさと目的に応じて決められる。又ポンプの形状、構造はドレンタンクの少ない水を良く吸引して送れるタイプのものが好ましい。
以下、本発明の第１実施例を図面に基づいて説明する。
本第１実施例は、住宅の床下空間除湿装置の例である。
図１は実施例の側面図である。
図２は実施例のＴ字状分岐管を示す断面図である。
図３は実施例の使用状態を示す説明図である。
図４は実施例の水位センサーの配設を示す説明図である。
【００１１】
図中１はファン、２は冷媒を送り込んでいる蒸発器である冷却コイル、２ａは冷媒を冷却して冷却コイルへ送り込む凝縮器（コンデンサ）、３はコンプレッサー、４はファン１のモータ、５は空気吸込口、６は排気口、７はドレンタンク、８はポンプ、９ａはドレンタンク７に挿入された吸引ホース、９ｂは同ポンプの吐水ホース、１０はＴ字状分岐管、１１は同Ｔ字状分岐管の一方に接続された排水ホース、１２はＴ字状分岐管の他方の接続口を閉鎖するキャップ、１３は電源コード、１４は住宅の床下空間、１５は住宅の外周の布基礎、１６はドレンタンク７に取付けた一定水位以上でポンプ８の作動信号を発生させる水位センサー、１７は同水位センサー１６の信号でポンプ８を作動させるポンプ制御部である。本実施例では、床下空間除湿装置本体Ａが作動すると冷媒が冷却されて冷却コイル（蒸発器）２は循環的に送られ、冷却コイル２は低温に冷却される。
【００１２】
一方、ファン１が作動すると床下空間１４の空気は吸引されて冷却コイル２を通過して排気口６から排出される空気が冷却された冷却コイル２と接触すると露点に達して空気中の水蒸気は液滴下して、下方のドレンタンク７へ落下流入する。ドレンタンク７の水が一定水位以上になると水位センサー１６が作動し、ポンプ制御部１７を介してポンプ８が作動し、ドレンタンク７の水は吸引ホース９ａから吸引し、吐水ホース９ｂ、Ｔ字状分岐管１０を介して排水ホース１１に送られ、家屋外の位置の排水溝等で排水される。
排水ホース１１の接続口を分岐管１０の反対側にした方がよいときはキャップ１２の方に排水ホース１１を接続すればよい。
【００１３】
次に、本発明の第２実施例を図面に基づいて説明する。
本第２実施例は、住宅の床下空間用に設けられる床下空間除湿装置の例である。
また、本第２実施例は、上記第１実施例に対して、ドレンポンプとして立軸片吸込遠心タイプを用いた例である。
床下空間除湿装置本体Ａ１は、図５に示されるように、略コの字状のカバー２０ａと、略コの字状の底板２０ｂとによって、立方体の箱（筐体２０）を形成し、その内部空間に外部排水ホースＡ２以外の構成品（特にファン、コンプレッサー、冷却コイル、ドレンタンク、ドレンポンプ）を内蔵する。
【００１４】
そのため、各構成部品の適切な配置によって、筐体内空間が有効に利用できコンパクトになるとともに、ワンボディ化されて運搬時や据付時の作業が容易になる。また、小動物の浸入や落下物等から構成品を防護する。更に、内蔵するドレンポンプやコンプレッサー等の騒音を遮断する効果も有する。
また、底板２０ｂの側面には、除湿する空気を吸入する空気吸込口２５と、除湿された空気を排出する排気口２６が複数の孔によって形成される。更に、カバー２０ａの両側面には、外部排出ホースＡ２を接続する一対のホース接続部２０ｃが設けられる。
【００１５】
上記のように形成された床下空間除湿装置本体Ａ１を、一対の台座２０ｄによって、湿気の多い北側や、浴室、トイレ、洗面所、台所などの床下空間に設置される。
次に、床下空間除湿装置本体Ａ１の内部構造について、図６及び図７に基づいて説明する。
筐体２０の底板２０ｂに、略Ｌ字状のドレンタンク２７と、コンプレッサー２３が配置される。また、その上部空間に冷却コイル（蒸発器）２２と、コンデンサ（凝縮器）２２ａと、ドレンポンプ２８と、ファン２１と、モータ２４が設置される。尚、上記ドレンタンク２７内で、ドレンポンプ２８設置位置より若干上流側に、略直方体の突起２７ｂが複数個設けられる。従って、その部分でくもの巣等のゴミが引っ掛かるため、ドレンポンプ２８に吸引されてドレンポンプ２８が破損するのを防ぐことができる。
【００１６】
コンプレッサー２３は、図示略の電動モータによって駆動されて、吸入管４１から冷媒ガスを吸入して、吐出し管４０に圧力を加えて冷媒ガスを吐出する。
吸入管４１は、アキュムレータ４３を介して冷却コイル２２の排出側に接続され、吐出し管４０はコンデンサ２２ａの吸入側に接続される。また、コンデンサ２２ａの排出側は、液管４２によってドライヤ４４とキャピラリチューブ４５を介して冷却コイル２２の吸入側に接続される。
【００１７】
上記アキュムレータ４３は、冷却コイル２２でガス化しなかった冷媒が、コンプレッサー２３に流入するのを防止するために設けられる。またキャピラリチューブ４５は膨脹弁に相当するもので、冷却コイル２２に供給する冷媒の量を、一定の圧力損失を与えて制御するものである。またドライヤ４４は、キャピラリチューブ４５へ吸入される冷媒から、水分や異物を除去するためのものである。
また、ドレンポンプ２８は図８に示すごとく、立軸片吸込遠心タイプが用いられる。このドレンポンプ２８は、直交する吸入口２８ａと吐出口２８ｂを有する略半球状のポンプボディ２８ｅを設け、このポンプボディ２８ｅに、立置きの駆動軸２８ｈを挿通して形成される。そして、この駆動軸２８ｈの上端はモータ２８ｇに接続され、下端部にスクリュー状のスクリュー羽根部２８ｃと板状の板状羽根部２８ｄを固定する。
【００１８】
以上のような構成による、ドレンポンプ２８が立軸タイプであるため、ワンボディ化した本実施例のように、幅方向に狭いスペースでも使用可能である。また、遠心タイプであるため容積タイプのポンプに比べて小型化でき高さも低く抑えられる。そのため、高さの低い床下空間除湿装置本体Ａ１とすることができ、高さが限られた床下空間であっても設置が容易になる。
更に、容積タイプのポンプのように、精巧な形状のシリンダやプランジャ等が不要である。そのため、ポンプボディ２８ｅや、スプラッシャ（インペラ）２８ｄ、或いはモータ２８ｇのハウジング等をプラスチック化することが可能で、軽量なドレンポンプ２８とすることができ、床下空間除湿装置本体Ａ１を軽量化することが可能になる。
【００１９】
具体的には、床下空間除湿装置にドレンポンプ２８を組み込んでも床下空間除湿装置本体Ａ１を、幅２５０ｍｍ、高さ２２０ｍｍ、長さ３８０ｍｍ、重量１０ｋｇ程度に設定することが可能である。
また、ドレンポンプ２８はドレンタンク２７の上部に、ポンプボックス２８ｆを設けて図示略の防振ゴムを介して固定される。この場合に、吸引ホース２９ａが、十分にドレンタンク水（ドレーン）２７ａの吸引が可能である高さに固定する。そして、そのように固定されたドレンポンプ２８の吐出口２８ｂに、吐水ホース２９ｂが接続され、更にＴ字状分岐管３０が接続される。
Ｔ字状分岐管３０からは、図７に示されるように、排水ホース３１ａ又は３１ｂが必要とされる方向（外部排水ホースＡ２の取回しが安易な方向）へ、どちらか一方が接続される。従って、使用しない側の排水ホースには、図６に示されるようにキャップ３２が接続されて遮断され、ドレンタンク水２７ａの吐出が止められる。
【００２０】
尚、必要に応じて図６に示されるように、ファンモータ２４と、コンプレッサー２３と、ドレンポンプ２８の各モータへ電力を供給制御する図示略の電源部に、タイマー４６を接続することも可能である。それによって、床下空間除湿装置本体Ａ１の駆動を時間的に制御することができ、装置の切り忘れ等が起こらない。
また、外気温度或いは冷媒温度を検出して電源回路を遮断する、温度感知装置たる外温サーモスタット４７及び凍結防止用サーモスタット４８を電源回路に接続することも可能である。この場合に、好ましくは、外温サーモスタット４７を１０℃程度に設定し、凍結防止用サーモスタット４８を−２℃程度に設定する。この様に設定することによって床下空間除湿装置本体Ａ１の作動が１０℃〜４０℃の範囲に限定される。従って、冷却コイル２２の凍結防止用として、外気温度と冷却コイル２２の温度のどちらかが作動するようにした２重の安全装置を具備している。これにより凍結による冷却コイル２２の破損や除霜時の水漏れ等を防止することができる。
【００２１】
次に、本第２実施例の作動を説明する。
床下空間除湿装置本体Ａ１がタイマー４６等によってＯＮにされると、ファン２１と、コンプレッサー２３と、ドレンポンプ２８が同時に駆動する。それによって、ファン２１が、空気吸込口２５より除湿すべき空気を吸入する。
また、コンプレッサー２３が作動することによって、冷媒の一連の流れが発生する。そのため、吸入管４１からコンプレッサー２３にはアキュムレータ４３を介して冷媒ガスが吸入される。従って、冷却コイル２２内の圧力が低下して、液管４２のキャピラリチューブ４５から液冷媒を吸入する。そのため、細いキャピラリチューブ４５から液冷媒を吸入することによって、液冷媒が膨脹して圧力が低下し、続いて圧力の低い冷却コイル２２に流入するときに液冷媒の一部は低圧下で気体に急変する。また、残りの液冷媒は、気化した冷媒ガスに熱を奪われ、更に冷却コイル２２の外側を通る空気によって熱を奪われて、低温低圧化で気化する。
【００２２】
この時に、冷媒が気化熱を吸収するため冷却コイル２２の温度が低下して、回りの空間から熱を奪う。そのため、回りの空間の水蒸気が露点に達して液化し復水（ドレンタンク水２７ａ）を生成する。そのように生成されたドレンタンク水２７ａは、液滴化して下方のドレンタンク２７に溜まる。
上記した構成によって床下空間除湿装置本体Ａ１は、ファン２１によって空気吸込口２５から吸い込まれた空気の水分を奪って、その空気を除湿し排気口２６から排出する。
また、ドレンタンク２７に溜まったドレンタンク水２７ａは、ドレンポンプ２８によって吸い上げられ、ドレンポンプ２８で加圧されてドレンポンプ２８の吐出口に接続され吐水ホース２９ｂに圧送される。
【００２３】
このドレンポンプ２８は上記した構造からなり、モータ２８ｇによってスクリュー羽根部２８ｃが回転すると、ドレンタンク水２７ａがポンプボディ２８ｅ内に持ち上げられて、回転する板状羽根部２８ｄにより遠心力が付与されて、吐出口２８ｂから吐出される。そして、Ｔ字状分岐管３０と排水ホース３１ａ或いは３１ｂを介して、外部排出ホースＡ２にてその遠心力による速度水頭が圧力水頭へ変換されることによって、所定の揚程となって排水される。
【００２４】
この場合に、図７のＴ字状分岐管３０と、ドレンタンク水２７ａのドレンタンク２７内での水面との揚程Ｂ１に示されるように、ドレンタンク水２７ａはドレンポンプ２８によって、少なくともドレンタンク内の水面よりも上方に揚水される。具体的には、電力１０Ｗ程度のドレンポンプ２８を使用した場合で、６００ｍｍ程度の揚程を得ることが可能である。
【００２５】
以上述べた本第２実施例によれば、ドレンポンプ２８によってドレンタンク水２７ａが揚水されるため、このドレンタンク２７内のドレンタンク水２７ａの水面よりも排出する部分を高い位置に設定することが可能になる。そのため、床下等の設置位置の低い場所に適した床下空間除湿装置とすることができる。また、ドレンポンプ２８が立軸片吸込遠心タイプであるため、上述したように、幅方向に狭いスペースでも使用可能であるとともに、高さも低く抑えられるため、スペースの限られた床下空間への対応が可能になる。更に、プラスチック化することが可能で、床下空間除湿装置を軽量化することが可能になる。また、除湿ユニットと排水ユニットを、カバー２０ａと底板２０ｂからなる筐体内に一体的に収納したことにより、装置のコンパクト化が可能で、運搬時や据付時の作業性も向上し、落下物等から構成品を防護するとともに、騒音を遮断することができる。
【００２６】
次に、図９に、上記本発明を住宅の床下空間に設置して、除湿をなす設備の一例を説明する。特に、上記第２実施例に示された床下空間除湿装置本体Ａ１を床下空間に設置して、床下空間を総合的に換気及び除湿するシステム例である。建造物の外部空間３３と床下空間３４は、複数の吸込側換気口Ａ３及び排出側換気口Ａ５によって連通される。そして、上記換気口Ａ３又はＡ５の一部又は全部に、換気扇Ａ３ａが設けられ、床下空間３４が強制的に換気される。更に、仕切りによって部屋毎に区分された床下空間３４が、複数の通気口Ａ４によって連通される。そして、その床下空間３４の湿気の多い北側や浴室、トイレ、洗面所、台所の下などを選択して床下空間除湿装置本体Ａ１を設置する。この場合に、好ましくは、床下空間３４の総面積が３０坪程度までは、床下空間除湿装置本体Ａ１を１台設置し、換気扇Ａ３ａを２台設置する。これ以上に総面積が広い場合には、床下空間除湿装置本体Ａ１及び換気扇Ａ３ａを適宜増加して設置する。
【００２７】
また、床下空間除湿装置本体Ａ１のドレンポンプ２８によって、ドレンタンク水２７ａの水面よりも排出する部分が高い位置とすることができるため、図９に示されるように、排出ホースＡ２による排出経路をより高い場所に設けることが可能になる。従って、例えば、図９に示されるような建物外に斜めに設けられた排水路Ａ６の場合にあっては、既存の建造物の布基礎Ａ７等を補工（穴開けＡ７ａ等）する等して低い位置にある排水路Ａ６へ接続する必要がなく、そのまま高い位置へ排出経路を設定することができる。
このように構成された床下空間除湿装置と換気扇から成る床下空間除湿設備とすることによって、外部空間３３と床下空間３４、及び建造物の部屋毎に仕切りによって区分された床下空間３４とが連通するとともに、換気扇Ａ３ａによって強制導風されるため、吸込側から排出側への一連の空気の流れが形成される。従って、建造物の床下空間３４全体に空気の流れが行き渡って、建造物の床下空間３４全体の除湿を行うことができる。
【００２８】
尚、床下空間除湿装置本体Ａ１及び換気扇Ａ３ａ両方にタイマー４６を接続することも可能で、それによって、床下空間除湿装置本体Ａ１及び換気扇Ａ３ａの駆動を時間的に制御することができ、上記床下空間除湿装置本体Ａ１及び換気扇Ａ３ａの切り忘れ等が起こらない。また、５時間程度の除湿運転で２リットル程度の除湿設定が可能なため、１日５時間程度の除湿運転を毎日繰り返すことによって、日常的に床下を乾燥させることができる。従って、カビや害虫の住みにくい環境とすることができるため、腐朽菌や白蟻の発生を抑え、構造材の劣化を防止することが可能になる。
【００２９】
また、床下空間除湿装置本体Ａ１と換気扇Ａ３ａを関連制御することも可能である。
具体的には、除湿量の低い１０℃以下の場合には、床下空間除湿装置本体Ａ１の運転を停止して、換気扇Ａ３ａの送風運転のみを行うようにする。それによって、凍結時の床下空間除湿装置本体Ａ１の運転を避けることができるとともに、無駄な電気の使用が抑えられる。また、除湿量の多い高温時や梅雨時などで、外部空間３３の湿度が高い場合には、換気扇Ａ３ａを遮断して床下空間除湿装置本体Ａ１のみの運転を行う。それによって、床下空間３４が密閉されるため、効率良く除湿を行うことが可能であるとともに、除湿後の空気を床下空間３４から排出して湿度の高い外部空間３３の空気を吸入するといった無駄な作用がなく、合理的な運転を行うことができる。尚、上記した床下空間除湿装置本体Ａ１と換気扇Ａ３ａとの関連制御は、マイクロコンピュータを用いて制御することが可能で、この場合には、コンプレッサー２３やドレンポンプ２８等も同時に制御することができる。
【００３０】
以上述べた如く、本発明を実施して、床下空間を総合的に換気及び除湿するシステム例によれば、外部空間３３と床下空間３４全体が連通し、換気扇Ａ３ａによって強制導風されるため、一連の空気の流れが形成され、建造物の床下空間３４全体に渡って除湿を行うことができる。従って、床下空間３４全体で腐朽菌や白蟻の発生を抑えることが可能になる。
尚、床下空間３４の広さによっては、通気口Ａ４にも換気扇を用いることも可能である。
【００３１】
以上述べた第１、２実施例によれば、床下空間除湿装置本体Ａ，Ａ１にドレンポンプ８，２８を設けたことによって、排出ホース１１，３１ａ，３１ｂ，Ａ２による排出経路をより高い場所に設けることが可能になる。また確実に排出することができるため、ドレンタンク７，２７内の水がドレンタンク７，２７から溢れ出たり、床下空間除湿装置の空間を汚すことがなく、蒸発して除湿効果を阻害することがない。尚、本発明における床下空間除湿装置は、建造物の床下空間に限定されるものではなく、例えば建造物内の通常の居住空間や天井裏、倉庫内或いは工場内の内部空間等においても適用可能である。
【００３２】
【発明の効果】
以上の様に、本発明の請求項１に記載の床下空間除湿装置によれば、ファンによって吸入された空気は冷却コイルで冷却され、空気に含まれている水蒸気は露点に達して液滴化して下方に落下してドレンタンクで回収される。このドレンタンクの水はポンプで吸入されてホースで遠方へ送られ、所定の排水位置で排水される。このようにポンプでドレンタンク水は強制排出されるので床下空間除湿装置の周辺を汚すことがなく、又ドレンタンク水が水蒸気となって空間に戻されることがないように早期排出を可能にする。また、上記ポンプが立軸タイプであるため、幅方向に狭いスペースでも使用可能であるとともに、遠心タイプであるため容積タイプに比べて簡略な構造で小型化でき高さも低く抑えられるため、高さの限られた床下空間への対応が可能になる。また、精巧な形状のシリンダやプランジャ等が不要なため全体をプラスチック化することが可能で、床下空間除湿装置を軽量化することが可能になる。また、上記ポンプによってドレンタンク水が揚水されるため、このドレンタンク水の水面よりも排出する部分を高い位置とすることができ、上記床下空間除湿装置が床下などの低い位置に設けられた場合であっても、排出ホースによる排出経路をより高い場所に設けることが可能になる。従って、建物外の排水路の位置もより高い位置に設けることができ、既存の建造物の布基礎等を補工することなく、そのまま使用するように設定できる。また、除湿ユニットと排水ユニットとを一体化し、底板とカバーによりなり、カバーの両側面に吸込口と排気口を有してなる筐体に、コンプレッサーと、ドレンタンク水を排出する立軸片吸込遠心タイプのポンプと、冷却コイルと、コンデンサと、モータを有するファンとを、上記吸込口と排気口間に水平方向に並設して、同一筐体内に内蔵してなるため、筐体内空間が有効に利用できコンパクトになるとともに、運搬時や据付時の作業性も向上する。また、小動物の浸入や落下物等から構成品を防護する。更に、内蔵するドレンポンプやコンプレッサー等の騒音を遮断する効果も有する。
【００３３】
また、特に、請求項２に記載の床下空間除湿装置によれば、分岐管でポンプの吐水路を方位を異にする排水口のいずれかに選択的に切換えられる場合は、排水ホースを延ばす方位の排水ポートを選択できるので床下空間除湿装置の設置位置・方向を制約なくできる。
【００３５】
また、特に、請求項３に記載の床下空間除湿装置によれば、ポンプへの異物の混入を容易、確実に防止することができる。
【００３６】
また、特に、請求項４に記載の床下空間除湿装置によれば、湿度や温度に応じた運転時間を適宜選択して、自動的に床下空間除湿装置をＯＮ又はＯＦＦすることが可能になる。
【００３７】
また、特に、請求項５に記載の床下空間除湿装置によれば、床下空間除湿装置の過熱や凍ったドレンタンク水の吸引を避けることができる。
【図面の簡単な説明】
【図１】本発明の第１実施例に基づく側面図である。
【図２】本発明の第１実施例に基づくＴ字状分岐管を示す断面図である。
【図３】第１実施例の使用状態を示す説明図である。
【図４】第１実施例の水位センサーの配設を示す説明図である。
【図５】本発明の第２実施例の外観を示す斜視図である。
【図６】第２実施例の内部構造を示す平面図である。
【図７】第２実施例の内部構造を示す斜視図である。
【図８】第２実施例のドレンポンプを示す断面図である。
【図９】本発明を床下空間に実施して総合的に換気及び除湿をなすシステムの一例を示す説明図である。
【符号の説明】
１、２１  ファン
２、２２  冷却コイル
２ａ、２２ａ  コンデンサ
３、２３  コンプレッサー
４、２４  モータ
５、２５  空気吸込口
６、２６  排気口
７、２７  ドレンタンク
８、２８  ポンプ
９ａ、２９，  吸引ホース
９ｂ、２９ｂ  吐水ホース
１０、３０  Ｔ字状分岐管
１１、３１ａ、３１ｂ  排水ホース
１２、３２  キャップ
１３  電源コード
１４、３４  床下空間
１５、Ａ７  布基礎
１６  水位センサー
１７  ポンプ制御部
２０  筐体
２０ａ  カバー
２０ｂ  底板
２０ｃ  ホース接続部
２８ａ  吸入口
２８ｂ  吐出口
２８ｃ  スクリュー羽根部
２８ｄ  板状羽根部
２８ｅ  ポンプボディ
２８ｆ  ポンプボックス
２８ｇ  モータ
２８ｈ  駆動軸
３３  外部空間
４０  吐出し管
４１  吸入管
４２  液管
４３  アキュムレータ
４４  ドライヤ
４５  キャピラリチューブ
４６  タイマー
４７  外温制御サーモスタット
４８  凍結防止用サーモスタット
Ａ、Ａ１  床下空間除湿装置本体
Ａ２  外部排水ホース
Ａ３  吸気用換気口
Ａ３ａ  換気扇
Ａ４  通気口
Ａ５  排気用換気口
Ａ６  排水路
Ａ７ａ  補工
Ｂ１  揚程
【図１】
0003610202.tif 000002
【図２】
0003610202.tif 000003
【図３】
0003610202.tif 000004
【図４】
0003610202.tif 000005
【図５】
0003610202.tif 000006
【図６】
0003610202.tif 000007
【図７】
0003610202.tif 000008
【図８】
0003610202.tif 000009
【図９】
0003610202.tif 000010